(57)【特許請求の範囲】
【請求項１】
本体ケース内に平行に並列配置された２本のノズルガイドパイプのそれぞれの内に、ピストン部の先端に噴出部を有する洗浄ノズルを軸芯方向に移動自在に嵌合配置し、前記洗浄ノズルのそれぞれを待機位置と突出位置との間で出退可能に支持されたノズルユニットを備えた温水洗浄装置において、
前記洗浄ノズルのそれぞれの前記ピストン部の外周面には逃がし傾斜面が形成されており、
前記洗浄ノズルのそれぞれを突出位置に突出させた状態で、前記洗浄ノズルのそれぞれの前記噴出部同士が近接するように、前記２本のノズルガイドパイプのそれぞれに対して互いに内向き方向に同一角度だけ傾斜させる偏角手段と、
前記２本のノズルガイドパイプ同士の間に設けられ、出口が待機位置での、前記噴出部のそれぞれに向いた掃除用洗浄水通路と、
前記２本のノズルガイドパイプの基端に設けられており、前記噴出部のそれぞれを掃除ために設けられた掃除用洗浄水通路と前記２本のノズルガイドパイプのぞれぞれとに流水を振り分ける弁体と、を有すること、
を特徴とする温水洗浄装置。
【発明の詳細な説明】
【０００１】
【発明の属する技術分野】
本発明は温水洗浄装置に関し、特に洗浄すべき局部のほぼ直下位置から洗浄水を噴出して局部の高さ位置にばらつきがあっても適正に洗浄できる温水洗浄装置に関するものである。
【０００２】
【従来の技術】
従来の温水洗浄装置において、互いに平行に並列して配設された一対のノズルガイドパイプにておしり洗浄ノズルとビデ洗浄ノズルをそれぞれ出退自在に支持したノズルユニットを備えたものが知られている。この種のノズルユニットは、両ノズルガイドパイプ間の中心線が便座の中心線、即ち洗浄すべき局部の略直下を通るように配設され、図５に示すように、おしり洗浄ノズルの噴出部３１及びビデ洗浄ノズルの噴出部３２はそれぞれ中心線ＯからＤ1 、Ｄ2 だけ偏芯した位置に突出し、その位置からおしりＨの局部に向けて洗浄水を噴出するように、各洗浄ノズルは、鉛直面に対して中心側に向けてβ1 、β2 だけ傾斜した方向に洗浄水を噴出するように噴出部３１、３２が配設されている。
【０００３】
一方、実開平４−２２５７２号公報（登録第２５１６１９０号）には、両ノズルガイドパイプをその軸芯が後方に向けてハ字状に広がるように配設し、両洗浄ノズルをそれぞれ突出させた時にそれぞれの噴出部が洗浄すべき局部の略直下位置に来るように構成したものが開示されている。
【０００４】
【発明が解決しようとする課題】
しかしながら、上記構成の温水洗浄装置では、図５に仮想線や一点鎖線で示したように、便座に着座した人の体格等の差によっておしりＨの高さにばらつきがあると、洗浄水が局部に正確に噴射されず、洗浄が適正に行われない恐れがあるという問題があった。
【０００５】
また、上記実開平４−２２５７２号公報に開示された構成は、上記問題は発生しないが、ノズルユニットの本体ケースに両ノズルガイドパイプを一体的に成形するのは型抜き等の問題から技術的又はコスト的に困難であり、そのためコスト高になるという問題がある。また後方に向けてハ字状に広がっているために横幅寸法が大きくなり、温水洗浄装置のコンパクト化に反していた。
【０００６】
本発明は、上記従来の問題点に鑑み、おしりの高さにばらつきがあっても局部を適正に洗浄できかつ低コストでコンパクトにて構成できる温水洗浄装置を提供することを目的としている。
【０００７】
【課題を解決するための手段】
本発明の温水洗浄装置は、本体ケース内に平行に並列配置された２本のノズルガイドパイプのそれぞれの内に、ピストン部の先端に噴出部を有する洗浄ノズルを軸芯方向に移動自在に嵌合配置し、前記洗浄ノズルのそれぞれを待機位置と突出位置との間で出退可能に支持されたノズルユニットを備えた温水洗浄装置において、
前記洗浄ノズルのそれぞれの前記ピストン部の外周面には逃がし傾斜面が形成されており、
前記洗浄ノズルのそれぞれを突出位置に突出させた状態で、前記洗浄ノズルのそれぞれの前記噴出部同士が近接するように、前記２本のノズルガイドパイプのそれぞれに対して互いに内向き方向に同一角度だけ傾斜させる偏角手段と、
前記２本のノズルガイドパイプ同士の間に設けられ、出口が待機位置での、前記噴出部のそれぞれに向いた掃除用洗浄水通路と、
前記２本のノズルガイドパイプの基端に設けられており、前記噴出部のそれぞれを掃除ために設けられた掃除用洗浄水通路と前記２本のノズルガイドパイプのぞれぞれとに流水を振り分ける弁体と、を有するものであり、ノズルガイドパイプを便座の前後方向に中心線から偏芯させてかつ平行に配設しても洗浄ノズルを突出させたときにその噴出部が局部の略直下位置に位置するので、おしりの高さにばらつきがあっても局部を適正に洗浄でき、またノズルガイドパイプを便座の中心線と平行な部材、例えば他のノズルガイドパイプや温風乾燥用吹き出しダクトなどとも簡単に一体成形することができ、コンパクトで低コストにて構成することができる。
を特徴とする温水洗浄装置。
【０００８】
また、複数のノズルガイドパイプがその軸芯を互いに平行にして並列配置され、各ノズルガイドパイプに嵌合配置された洗浄ノズルが突出位置で互いに近接して位置するように偏角手段を構成するので、おしり洗浄ノズルとビデ洗浄ノズルなど、複数の洗浄ノズルを有するノズルユニットの場合に、両洗浄ノズルが突出位置に突出したときにそれぞれ噴出部が局部の略直下位置に位置するので、おしりの高さにばらつきがあっても局部を適正に洗浄でき、また両ノズルガイドパイプが互いに平行であるため簡単に一体成形することができ、コンパクトで低コストにて構成することができる。
【００１０】
【発明の実施の形態】
以下、本発明の温水洗浄装置の一実施形態について、図１〜図４を参照して説明する。
【００１１】
図１において、本実施形態の温水洗浄装置１は、おしり洗浄ノズル３とビデ洗浄ノズル４を有するノズルユニット２と、入口ポート５ａとおしり洗浄ポート５ｂとビデ洗浄ポート５ｃとノズル掃除ポート５ｄとを有して入口ポート５ａから流入した洗浄水を３つの出口ポート５ｂ〜５ｄに対して択一的に洗浄水を供給する四方口の流量調節切換弁５と、所定水量の温水を貯えるとともに内蔵した加熱ヒータ６ａにて所定の水温に制御可能に構成された温水タンク６と、水道端末７から定流量弁８と電磁開閉弁９を介して温水タンク６に水を供給するとともに逃がし弁１０にて定流量弁８での流量と流量調節切換弁５の各出口ポート５ｂ〜５ｄから流出する流量との差の余剰水を便器に排出するように構成された給水手段１１にて構成されている。５ｅは、流量調節切換弁５の弁体２０（図２参照）を回転駆動して出口ポート５ｂ〜５ｄの切換及び回転位置により流量調節を行うモータである。
【００１２】
ノズルユニット２とその基端部に配設された流量調節切換弁５の詳細構成を示す図２において、ノズルユニット２の本体ケース１２は、おしり洗浄ノズル３とビデ洗浄ノズル４をそれぞれ図２に示す待機位置と図３に示す所定位置まで突出した突出位置との間で出退自在に支持するノズルガイドパイプ１３、１４を相互に平行に並列配置するとともに、両者間をその基端の連結板１２ａと両者の軸芯が通る平面位置の連結板１２ｂと両者の先端における連結板１２ｂより上部の閉止板１２ｃ及び連結板１２ｂの下部に軸芯方向に適当間隔で配設された連結リブ（図示せず）にて連結した状態で一体成形して構成されている。
【００１３】
本体ケース１２の基端には流量調節切換弁５の弁箱部材１５が配置され、その両側の取付部１５ａが本体ケース１２の基端部両側に突設された取付ボス１２ｄにビス（図示せず）にて締結固定されている。弁箱部材１５の両側部には、ノズルガイドパイプ１３、１４の基端部にシール材１８を介してシール状態で嵌合接続される嵌合筒部１６、１７が突設され、各嵌合筒部１６、１７内に向けておしり洗浄ポート５ｂとビデ洗浄ポート５ｃが開口されている。
【００１４】
弁箱部材１５の中央部には、ノズルガイドパイプ１３、１４の軸芯が通る平面に対して垂直に円筒弁箱１９が形成されてその下端に入口ポート５ａが形成されるとともに内部に弁体２０が回転自在に嵌合配置され、上部にこの弁体２０を駆動するモータ５ｅが配設されている。弁体２０は下端が入口ポート５ａに連通するように開口された有底円筒状で、洗浄ポート５ｂ、５ｃに対応する高さ位置の側面に弁口２１が開口されている。弁箱部材１５には弁口２１がそれぞれ洗浄ポート５ｂ、５ｃ側に向いた時にそれらを相互に連通させる連通穴１５ｂ、１５ｃが両側外面から穿孔され、その外面開口が栓部材２２ａ、２２ｂにて密閉されている。
【００１５】
各洗浄ノズル３、４は、各洗浄ポート５ｂ、５ｃからノズルガイドパイプ１３、１４内に供給された洗浄水の水圧によって図２の待機位置から図３の突出位置に向けて突出するように中空のノズル軸２３、２４の基端部にノズルガイドパイプ１３、１４の内面に摺動自在に嵌合するピストン部２３ａ、２４ａが設けられるとともに、ノズル軸２３、２４の先端部がノズルガイドパイプ１３、１４の先端壁に形成されたガイド穴１３ａ、１４ａを貫通している。また、各ノズル軸２３、２４の先端にはそれぞれ局部に向けて洗浄水を噴出する噴出口を形成した噴出部３ａ、４ａが装着されている。
【００１６】
ノズルガイドパイプ１３、１４の先端壁とピストン部２３ａ、２４ａとの間には、各洗浄ノズル３、４を待機位置に向けて付勢するばね２５が介装されている。また、ノズルガイドパイプ１３、１４の先端部には段部１３ｂ、１４ｂを介して小径部１３ｃ、１４ｃが形成され、各洗浄ノズル３、４が突出位置まで突出した時に、段部１３ｂ、１４ｂ位置でのピストン部２３ａ、２４ａの支持とガイド穴１３ａ、１４ａ位置でのノズル軸２３、２４の支持の２点支持にてこれら洗浄ノズル３、４を保持するとともに、ばね２５の収納空間を確保するように構成されている。また、ピストン部２３ａ、２４ａの先端面には、段部１３ｂ、１４ｂに当接してシールするシールリング２６が装着されている。
【００１７】
そして、図３に示すように、ノズルガイドパイプ１３、１４の先端面のガイド穴１３ａ、１４ａは、ノズルガイドパイプ１３、１４の軸芯Ｑ1 、Ｑ2 から互いに接近する方向に適当量δだけ偏芯させて形成されている。また、段部１３ｂ、１４ｂが、ノズルガイドパイプ１３、１４の軸芯Ｑ1 、Ｑ2 に対して垂直な面に対して適当角度αだけ前方に向けて互いに内向き方向に傾斜させて形成されている。傾斜角度αは、２°〜５°程度で、δはノズルガイドパイプ１３、１４の先端面と段部１３ｂ、１４ｂの間の距離をｌとして、δ＝ｌ・ｔａｎαに設定されている。このガイド穴１３ａ、１４ａの偏芯と段部１３ｂ、１４ｂの傾斜によって偏角手段が構成されている。
【００１８】
この偏角手段によって、洗浄ノズル３、４を突出位置に突出させた状態でその軸芯はノズルガイドパイプ１３、１４の軸芯Ｑ1 、Ｑ2 に対して先端側に向けて互いに近づく方向に角度αだけ傾斜し、図３、図４に示すよう洗浄ノズル３、４が突出した状態でその噴出部３ａ、４ａが便座の中心線Ｏ上又はそれに近接した位置で互いに近接して位置することになる。
【００１９】
また、上記のように洗浄ノズル３、４が突出した位置で傾斜したときにピストン部２３ａ、２４ａの外周面とノズルガイドパイプ１３、１４の内周面とが干渉するのを避けるため、図２に平行斜線で示すようにピストン部２３ａ、２４ａの外周面に逃がし傾斜面を形成し、円滑な突出・退入動作に支障が生じないように構成されている。
【００２０】
ノズル軸２３、２４の上下端には略全長にわたって浅い凹溝２３ｂ、２４ｂが形成されるとともにノズルガイドパイプ１３、１４の先端壁のガイド穴１３ａ、１４ａが同形状に開口されてノズル軸２３、２４の軸芯回りの回転位置が規制されている。さらに、ピストン部２３ａ、２４ａの外周の凹溝２３ｂ、２４ｂに対応する位置に切欠２３ｃ、２４ｃが形成され、洗浄ノズル３、４の突出行程中にノズルガイドパイプ１３、１４に流入した洗浄水の一部が切欠２３ｃ、２４ｃから凹溝２３ｂ、２４ｂ上に流出し、この凹溝２３ｂ、２４ｂを伝い、ガイド穴１３ａ、１４ａの上部に形成された切欠（図示せず）を通って噴出部３ａ、４ａの外面に流出して清掃するように構成されている。
【００２１】
なお、おしり洗浄ノズル３においてはピストン部２３ａがノズル軸２３の基端よりも適当距離先端側に配設され、ビデ洗浄ノズル４においてはピストン部２４ａがノズル軸２４の基端に配設され、それらの突出位置で図３に示すようにおしり洗浄ノズル３の噴出部３ａよりもビデ洗浄ノズル４の噴出部４ａが若干前方に突出するように構成されている。
【００２２】
また、流量調節切換弁５のノズル掃除ポート５ｄは、図１に示すように、掃除用洗浄水通路３０を通って待機位置の洗浄ノズル３、４の噴出部３ａ、４ａの外面に向けて洗浄水を吐出させ、これら噴出部３ａ、４ａを掃除するように設けられたものであり、弁体２０がおしり洗浄ポート５ｂとビデ洗浄ポート５ｃの中間の中立位置に切換えられたときに開口するように構成されている。
【００２３】
以上の構成において、待機中は流量調節切換弁５の弁体２０はその弁口２１がおしり洗浄ポート５ｂとビデ洗浄ポート５ｃの何れにも連通しない中間の中立位置に位置しており、その状態でノズル掃除ポート５ｄが開口している。したがって、待機中に温水タンク６内で洗浄水が所定温度まで加熱されることによって膨張すると、その膨張分の洗浄水はノズル掃除ポート５ｄから流出し、掃除用洗浄水通路３０を通っておしり洗浄ノズル３とビデ洗浄ノズル４の噴出部３ａ、４ａの外面に吐出し、噴出部３ａ、４ａに掃除に有効に利用される。
【００２４】
使用時に、おしり洗浄又はビデ洗浄のスイッチが押圧されると、流量調節切換弁５のモータ５ｅにて弁体２０が回転され、弁口２１がおしり洗浄ポート５ｂとビデ洗浄ポート５ｃの何れかの選択された側に回転され、この流量調節切換弁５の最小流量（５又は６レベル段階ある流量レベルの１レベル以下の流量）に切換えられた後電磁開閉弁９が開かれ、さらにその後に流量調節切換弁５の開度が所定流量レベルに調節される。
【００２５】
例えば、おしり洗浄が選択された場合、洗浄水は洗浄ポート５ｂからノズルガイドパイプ１３内に流入し、その水圧がおしり洗浄ノズル３のピストン部２３ａに作用し、ばね２５の付勢力に抗しておしり洗浄ノズル３が突出位置に向けて押し出される。その間に、洗浄水の一部はノズル軸２３内に流入して先端の噴出部３ａから少量流出するとともに、ピストン部２３ａに形成された切欠２３ｃから洗浄水の一部がノズル軸２３上に流出し、凹溝２３ｂを伝って流れ、先端の噴出部３ａ外面に流出し、噴出部３ａの内外の掃除が行われ、またこの間に温水タンク６とピストン部２３ａの間の水路中に滞留し、温度が低下していた洗浄水が便器に排出されるため、次に噴出部３ａから洗浄水が噴出されるときには適温の温水が局部に向けて噴出される。
【００２６】
おしり洗浄ノズル３が、図３に示すように、その突出位置まで突出されると、ピストン部２３ａに設けたシールリング２６がノズルガイドパイプ１３の先端部の段部１３ｂに圧接されてノズルガイドパイプ１３内が密閉されるとともにその体積膨張が停止するため、洗浄水はノズル軸２３内を通って先端の噴出部３ａに圧送され、その噴出穴から勢い良く局部に向けて噴出し、確実に洗浄が行われる。
【００２７】
この洗浄時に、ノズルガイドパイプ１３、１４は便座の前後方向の中心線Ｏから偏芯させてかつ平行に配設されていても、洗浄ノズル３、４を突出位置に突出させた状態で、その軸芯がノズルガイドパイプ１３、１４の軸芯に対して傾斜し、図４に示すように、その噴出部３ａ、４ａがおしりＨの局部の略直下位置に位置するので、おしりＨの高さにばらつきがあっても局部を適正に洗浄することができる。
【００２８】
所定時間の洗浄が終了すると、電磁開閉弁９が閉じられ、その後若干タイミングを遅らせて流量調節切換弁５が元の待機状態に切換えられ、これによって突出位置のおしり洗浄ノズル３がばね２５の付勢力によって待機位置に復帰する。その後、電磁開閉弁９が適当時間開かれることによって洗浄水が掃除用洗浄水通路３０を通って待機位置に戻ったおしり洗浄ノズル３の噴出部３ａの外面に向けて洗浄水が供給され、その掃除が行われる。
【００２９】
なお、ビデ洗浄を選択した場合にも、ビデ洗浄ノズル４が同様に動作し、同様の作用効果を奏することは重ねて説明するまでもない。
【００３０】
また、本実施形態によれば、おしり洗浄ノズル３とビデ洗浄ノズル４を支持する一対のノズルガイドパイプ１３、１４が互いに平行に並列配置されているので、簡単に一体成形することができ、コンパクトで低コストにて構成することができる。
【００３１】
また、洗浄ノズル３、４を突出させた状態でノズルガイドパイプ１３、１４の軸芯に対して傾斜させる偏角手段を、ノズルガイドパイプ１３、１４の先端面の洗浄ノズルが貫通するガイド穴１３ａ、１４ａをノズルガイドパイプ１３、１４の軸芯から偏芯させて形成し、洗浄ノズル３、４のピストン部２３ａ、２４ａの先端面がシール状態で当接する段部１３ｂ、１４ｂをノズルガイドパイプ１３、１４の軸芯に対して垂直な面に対して傾斜させて形成して構成しているので、簡単で安価な構成で上記作用効果を奏することができる。
【００３２】
【発明の効果】
本発明の温水洗浄装置によれば、以上の説明から明らかなように、洗浄ノズルを突出位置に突出させた状態でその軸芯をノズルガイドパイプの軸芯に対して傾斜させる偏角手段を設けたので、ノズルガイドパイプを便座の前後方向の中心線から偏芯させてかつ平行に配設しても洗浄ノズルを突出させたときにその噴出部を局部の略直下位置に位置させることができ、おしりの高さにばらつきがあっても局部を適正に洗浄でき、またノズルガイドパイプを便座の中心線と平行な部材とも簡単に一体成形でき、コンパクトで低コストにて構成することができる。
【００３３】
また、複数のノズルガイドパイプがその軸芯を互いに平行にして並列配置され、各ノズルガイドパイプに嵌合配置された洗浄ノズルが突出位置で互いに近接して位置するように偏角手段を構成すると、複数の洗浄ノズルを有するノズルユニットの場合に、両洗浄ノズルが突出位置に突出したときにそれぞれ噴出部が局部の略直下位置に位置するので、おしりの高さにばらつきがあっても局部を適正に洗浄でき、また両ノズルガイドパイプが互いに平行であるため簡単に一体成形することができ、コンパクトで低コストにて構成することができる。
【００３４】
また、ノズルガイドパイプの先端面の洗浄ノズルが貫通するガイド穴をノズルガイドパイプの軸芯から偏芯させて形成し、ノズルガイドパイプの先端面から適当距離の位置にノズルガイドパイプの内面に嵌合する洗浄ノズルのピストン部の先端面がシール状態で当接する段部をノズルガイドパイプの軸芯に対して垂直な面に対して傾斜させて形成すると、ガイド穴の位置を偏芯させかつ段部を傾斜して形成するだけの簡単で安価な構成で上記偏角手段を構成して上記作用効果を奏することができる。
【図面の簡単な説明】
【図１】本発明の温水洗浄装置の一実施形態の全体構成図である。
【図２】同実施形態のノズルユニットの待機状態の横断平面図である。
【図３】同実施形態のノズルユニットにおける洗浄ノズルの突出状態を示す部分横断平面図である。
【図４】同実施形態における洗浄状態の説明図である。
【図５】従来例の温水洗浄装置における洗浄状態の説明図である。
【符号の説明】
１  温水洗浄装置
２  ノズルユニット
３  おしり洗浄ノズル
３ａ  噴出部
４  ビデ洗浄ノズル
４ａ  噴出部
１３  ノズルガイドパイプ
１３ａ  ガイド穴
１３ｂ  段部
１４  ノズルガイドパイプ
１４ａ  ガイド穴
１４ｂ  段部
【図１】
0004342054.tif 000002
【図２】
0004342054.tif 000003
【図３】
0004342054.tif 000004
【図４】
0004342054.tif 000005
【図５】
0004342054.tif 000006